(57)【要約】【課題】電池の消耗を少なくし、かつ低温火傷を防止しながら、長時間の使用状態において、ユーザーに冷たさを感じさせることなく、暖かさを感じることができるようにする。【解決手段】懐炉は、電池１と、この電池１を内蔵するケース２と、電池１に通電されて加温される加温部９１と、電池１の通電を制御して加温部９１の温度をコントロールする温度制御回路９２とを備えている。温度制御回路９２は、加温部９１の設定温度である第１の設定温度と、この設定温度よりも低く設定してなる第２の設定温度とを記憶してなる記憶部１３と、加温部９１の温度を記憶部１３に記憶してなる第１の設定温度と第２の設定温度とに繰り返し制御する制御部６とを備えている。懐炉は、温度制御回路９２が、加温部９１の温度を、第１の設定温度から第２の設定温度に低下させる温度勾配を、第２の設定温度から第１の設定温度に温度を上昇させる温度勾配よりも緩慢に制御している。【選択図】図１５
2011045658.tif 000002
【特許請求の範囲】
【請求項１】
電池と、この電池を内蔵するケースと、このケースに内蔵している電池に通電されて加温される加温部と、前記電池の通電を制御して加温部の温度をコントロールする温度制御回路とを備える懐炉であって、
前記温度制御回路が、加温部の設定温度である第１の設定温度と、この設定温度よりも低く設定してなる第２の設定温度とを記憶してなる記憶部と、前記加温部の温度を記憶部に記憶してなる第１の設定温度と第２の設定温度とに繰り返し制御する制御部とを備え、
前記温度制御回路が、加温部の温度を、第１の設定温度から第２の設定温度に低下させる温度勾配を、第２の設定温度から第１の設定温度に温度を上昇させる温度勾配よりも緩慢に制御するようにしてなる懐炉。
【請求項２】
前記温度制御回路が、加温部の温度を第１の設定温度と第２の設定温度とに繰り返し制御することを周期的に行う請求項１に記載される懐炉。
【請求項３】
前記記憶部が、第１の設定温度と第２の設定温度とを含む温度パターンを記憶しており、前記制御部が、記憶部に記憶される温度パターンとなるように加温部の温度を制御する請求項１または２に記載される懐炉。
【請求項４】
前記温度制御回路が、第１の設定温度から第２の設定温度に低下させる温度勾配を０．１℃／分以上であって、０．５℃／分以下としている請求項１ないし３のいずれかに記載される懐炉。
【請求項５】
前記温度制御回路が、加温部の設定温度を高温モードと、この高温モードよりも設定温度を低くしてなる低温モードに切り換える切換スイッチを備え、前記記憶部が高温モードにおける第１の設定温度と第２の設定温度と、低温モードにおける第１の設定温度と第２の設定温度を記憶しており、
前記制御部が、前記切換スイッチから入力される信号で高温モードと低温モードに切り換えて、高温モードと低温モードの設定温度に加温部をコントロールするようにしてなる請求項１ないし４のいずれかに記載される懐炉。
【請求項６】
前記温度制御回路が、加温部の温度を一時的に高温に設定する一時高温モードに切り換えるターボスイッチを備え、前記記憶部が第１の設定温度よりも高温に設定してなる、一時高温モードにおける一時高温の設定温度を記憶し、かつ一時高温モードを保持する設定時間を記憶しており、
前記制御部が、前記ターボスイッチから入力される信号で、前記記憶部に記憶している設定時間に加温部の温度を一時高温の設定温度に制御するようにしてなる請求項１ないし５のいずれかに記載される懐炉。
【請求項７】
前記記憶部が、加温部の温度を一時高温の設定温度から第１の設定温度に低下させる温度パターンを記憶しており、前記制御部が、記憶部に記憶される温度パターンで一時高温の設定温度から第１の設定温度に低下するように制御する請求項６に記載される懐炉。
【請求項８】
前記加温部が、ケースの表面に露出してなる加温プレートと、この加温プレートの内面に熱結合されて加温プレートを加温するヒーターとを備えており、前記温度制御回路が加温プレートの温度を検出する温度センサを備え、制御部が温度センサで検出される検出信号でヒーターの通電を制御する請求項１ないし７のいずれかに記載される懐炉。
【請求項９】
前記加温部が、ケースの表面に露出してなる加温プレートと、この加温プレートの内面に熱結合されて加温プレートを加温するヒーターとを備えており、前記温度制御回路がヒーターの温度を検出する温度センサを備え、制御部が温度センサで検出される検出信号でヒーターの通電を制御する請求項１ないし７のいずれかに記載される懐炉。
【発明の詳細な説明】
【技術分野】
【０００１】
本発明は、内蔵している電池で加温される懐炉に関する。
【背景技術】
【０００２】
ケースに電池を内蔵し、この電池でヒーターを加熱する懐炉は開発され、特許文献１に記載される。この懐炉は、加温プレートの温度を設定温度に制御している。懐炉は、加温プレートの温度が低すぎるとユーザーが暖かく感じず、反対に高すぎると電池で加温できる時間が短くなる。特許文献１の懐炉は、電池の消耗を少なくしながら、ユーザーが暖かく感じるように、加温プレートの初期の設定温度を通常の設定温度よりも高くして、電源スイッチをオンに切り換えた直後に加温プレートの温度を高く制御している。
【先行技術文献】
【特許文献】
【０００３】
【特許文献１】特開２００８−１３２３０５号公報
【発明の概要】
【発明が解決しようとする課題】
【０００４】
従来の懐炉は、図１に示すように、電源スイッチをオンに切り換えた直後に加温プレートを高温に加温するので、懐炉を使用する初期に、ユーザーは暖かく感じることができる。しかしながら、長時間にわたって加温プレートを同じ温度に保持すると、ユーザーは温度が変化しないので暖かく感じなくなってしまう。連続して使用される状態で、図２に示すように、加温プレートの設定温度を、高温と低温に周期的に切り換えることで、高温に切り換えられたときにユーザーに暖かく感じることができる。しかしながら、この図に示すように、高温と低温に切り換えると、高温では暖かく感じることができるが、低温では冷たく感じるとか、電源が切れたと感じる弊害が発生する。
【０００５】
本発明は、さらに以上の欠点を解決することを目的に開発されたものである。本発明の重要な目的は、電池の消耗を少なくし、かつ低温火傷を防止しながら、長時間の使用状態において、ユーザーに冷たさを感じさせることなく、暖かさを感じることができる懐炉を提供することにある。
【課題を解決するための手段及び発明の効果】
【０００６】
本発明の懐炉は、電池１と、この電池１を内蔵するケース２、５２、７２、８２と、このケース２、５２、７２、８２に内蔵している電池１に通電されて加温される加温部９１と、電池１の通電を制御して加温部９１の温度をコントロールする温度制御回路９２とを備えている。温度制御回路９２は、加温部９１の設定温度である第１の設定温度と、この設定温度よりも低く設定してなる第２の設定温度とを記憶してなる記憶部１３と、加温部９１の温度を記憶部１３に記憶してなる第１の設定温度と第２の設定温度とに繰り返し制御する制御部６とを備えている。懐炉は、温度制御回路９２が、加温部９１の温度を、第１の設定温度から第２の設定温度に低下させる温度勾配を、第２の設定温度から第１の設定温度に温度を上昇させる温度勾配よりも緩慢に制御している。
【０００７】
以上の懐炉は、電池の消耗を少なくし、電池からの消費電力を低減し（省エネルギー）、かつ低温火傷を防止しながら、長時間の使用状態において、ユーザーが冷たさを感じることなく、暖かく感じることができる特徴がある。それは、以上の懐炉が、第１の設定温度と第２の設定温度とを繰り返すように制御することに加えて、高温の第１の設定温度から低温の第２の設定温度に温度を低下させる温度勾配を、低温の第２の設定温度から高温の第１の設定温度に温度を上昇させる温度勾配よりも緩慢に制御するからである。ユーザーは、緩慢な温度低下を肌で感じることはなく、急激な温度上昇で暖かく感じることができる。換言するなら、ゆっくり温度を下げることにより、温度が下がっていることを感じさせない効果がある。
【０００８】
本発明の懐炉は、温度制御回路９２が、加温部９１の温度を第１の設定温度と第２の設定温度とに繰り返し制御することを周期的に行うことができる。
この懐炉は、周期的に温度を上げることにより、ユーザーが温かみを感じることができる効果がある。
【０００９】
本発明の懐炉は、記憶部１３が、第１の設定温度と第２の設定温度とを含む温度パターンを記憶して、制御部６が、記憶部１３に記憶される温度パターンとなるように加温部９１の温度を制御することができる。
以上の懐炉は、所定の温度パターンで第１の設定温度から第２の設定温度に温度を低下させるので、加温部の温度を決められた温度勾配でゆっくりと低下させることで、全てのユーザーに冷たく感じることなく、第２の設定温度から第１の設定温度に温度上昇することで暖かく感じることができる。
【００１０】
本発明の懐炉は、温度制御回路９２が、第１の設定温度から第２の設定温度に低下させる温度勾配を０．１℃／分以上であって、０．５℃／分以下とすることができる。
以上の懐炉は、加温部の温度を低下させる温度勾配を相当に緩慢にして、第１の設定温度から第２の設定温度に加温部の温度を低下させるので、全てのユーザーが冷たく感じることがなく暖かく感じることができる。
【００１１】
本発明の懐炉は、温度制御回路９２が、加温部９１の設定温度を高温モードと、この高温モードよりも設定温度を低くしてなる低温モードに切り換える切換スイッチ１９Ｂを備えると共に、記憶部１３が高温モードにおける第１の設定温度と第２の設定温度と、低温モードにおける第１の設定温度と第２の設定温度を記憶し、制御部６が、切換スイッチ１９Ｂから入力される信号で高温モードと低温モードに切り換えて、高温モードと低温モードの設定温度に加温部９１をコントロールすることができる。
以上の懐炉は、高温モードと低温モードとに切り換えて使用できるので、極めて寒いときは高温モードとしてユーザーは暖かく使用でき、また、低温モードで使用して電池の使用時間を長くできる。
【００１２】
本発明の懐炉は、温度制御回路９２が、加温部９１の温度を一時的に高温に設定する一時高温モードに切り換えるターボスイッチ１９Ｃを備えると共に、記憶部１３が第１の設定温度よりも高温に設定してなる、一時高温モードにおける一時高温の設定温度を記憶し、かつ一時高温モードを保持する設定時間を記憶して、制御部６が、ターボスイッチ１９Ｃから入力される信号で、記憶部１３に記憶している設定時間に加温部９１の温度を一時高温の設定温度に制御することができる。
以上の懐炉は、使用している途中で、ユーザーが一時的に手などを暖かく加温したいときに、快適に加温できる特徴がある。
【００１３】
本発明の懐炉は、記憶部１３が、加温部９１の温度を一時高温の設定温度から第１の設定温度に低下させる温度パターンを記憶して、制御部６が、記憶部１３に記憶される温度パターンで一時高温の設定温度から第１の設定温度に低下するように制御することができる。
以上の懐炉は、一時的に暖かく加温した後、第１の設定温度まで温度を低下しながら、ユーザーには冷たさを感じることがない特徴がある。
【００１４】
本発明の懐炉は、加温部９１が、ケース２、５２、７２、８２の表面に露出してなる加温プレート４、５４、７４、８４と、この加温プレート４、５４、７４、８４の内面に熱結合されて加温プレート４、５４、７４、８４を加温するヒーター３とを備え、温度制御回路９２が加温プレート４、５４、７４、８４の温度を検出する温度センサ１０を備えて、制御部６が温度センサ１０で検出される検出信号でヒーター３の通電を制御することができる。
以上の懐炉は、ユーザーの手や肌に直接に接触する加温プレートの温度を設定温度に制御するので、ユーザーが快適に使用できる特徴がある。
【００１５】
本発明の懐炉は、加温部９１が、ケース２、５２、７２、８２の表面に露出してなる加温プレート４、５４、７４、８４と、この加温プレート４、５４、７４、８４の内面に熱結合されて加温プレート４、５４、７４、８４を加温するヒーター３とを備え、温度制御回路９２がヒーター３の温度を検出する温度センサ１０を備えて、制御部６が温度センサ１０で検出される検出信号でヒーター３の通電を制御することができる。
以上の懐炉は、ヒーターの温度を制御して加温プレートの温度をコントロールするので、加温プレートが異常な温度に上昇するとがなく、加温プレートの温度制御を速やかにコントロールできる特徴がある。
【図面の簡単な説明】
【００１６】
【図１】従来の懐炉がヒーターを加温する温度特性を示すグラフである。
【図２】従来の他の懐炉がヒーターを加温する温度特性を示すグラフである。
【図３】本発明の一実施例にかかる懐炉の斜視図である。
【図４】図３に示す懐炉の底面図である。
【図５】図３に示す懐炉の縦断面図である。
【図６】図３に示す懐炉の横断面図である。
【図７】図３に示す懐炉を底面から見た分解斜視図である。
【図８】図３に示す懐炉の分解斜視図である。
【図９】本発明の一実施例にかかる懐炉のブロック図である。
【図１０】本発明の他の実施例にかかる懐炉の縦断面図である。
【図１１】図１０に示す懐炉の横断面図である。
【図１２】本発明の他の実施例にかかる懐炉の縦断面図である。
【図１３】本発明の他の実施例にかかる懐炉の側面図である。
【図１４】本発明の他の実施例にかかる懐炉の側面図である。
【図１５】温度制御回路が加温部の温度を制御する温度パターンの一例であって高温モードを示すグラフである。
【図１６】温度制御回路が加温部の温度を制御する温度パターンの一例であって低温モードを示すグラフである。
【図１７】温度制御回路が加温部の温度を制御する温度パターンの他の一例を示すグラフである。
【図１８】温度制御回路がヒーター温度と外気温度で電源スイッチを制御する一例を示すグラフである。
【図１９】本発明の他の実施例にかかる懐炉の縦断面図である。
【図２０】本発明の他の実施例にかかる懐炉の側面図である。
【図２１】本発明の他の実施例にかかる懐炉の回路図である。
【図２２】図２１に示す懐炉を充電台で充電する状態を示す側面図である。
【図２３】本発明の他の実施例にかかる懐炉を底面から見た分解斜視図である。
【図２４】図２３に示す懐炉の一部拡大縦断面図である。
【図２５】図２３に示す懐炉のブロック図である。
【発明を実施するための形態】
【００１７】
以下、本発明の実施例を図面に基づいて説明する。ただし、以下に示す実施例は、本発明の技術思想を具体化するための懐炉を例示するものであって、本発明は懐炉を以下のものに特定しない。さらに、この明細書は、特許請求の範囲に示される部材を、実施例の部材に特定するものでは決してない。
【００１８】
図３ないし図９に示す懐炉は、電池１と、この電池１を内蔵するケース２と、このケース２に内蔵している電池１に通電されて加温される加温部９１と、電池１の通電を制御して加温部９１の温度をコントロールする温度制御回路９２とを備える。加温部９１は、電池１に通電されて加温される発熱体としてのヒーター３と、このヒーター３に熱結合している加温プレート４とを備えている。温度制御回路９２は、加温部９１を加温する設定温度を記憶している記憶部１３と、加温部９１の温度を記憶部１３に記憶している設定温度に制御する制御部６とを備える。
【００１９】
ヒーター３は、平面状のＰＴＣヒーター３Ａである。ただし、ヒーターには、平面状のＰＴＣヒーター３Ａ以外に、トランジスターの発熱を利用したもの、抵抗体等も利用できる。
【００２０】
電池１は、対向する両面をフラット面１ａとしてなる角型のリチウムイオン二次電池又はリチウムポリマー電池からなる角型二次電池１Ａである。角型二次電池１Ａは、アルミニウムやアルミニウム合金を角型にプレス加工している外装缶に、電極と電解液を入れて密閉している。この角型二次電池１Ａは、外装缶のフラット面１ａの内面に電極を密着している。このため、冬季の低温状態において、外装缶のフラット面１ａを介して電極を所定の温度に加温して、低温時の電気特性を速やかに改善できる。角型二次電池１Ａは、電圧を３．７Ｖ、容量を２０００ｍＡｈとするリチウムイオン二次電池である。この電池１は、平面状のＰＴＣヒーター３Ａで加温プレート４を３８℃〜４８℃に加温して、約８〜１０時間使用できる。ただ、電池には、リチウムポリマー電池も使用できる。
さらに、本発明においては、角型だけでなく、円筒型電池等も利用できる。また、リチウムイオン二次電池又はリチウムポリマー電池だけでなく、ニッケル水素電池、ニッケルカドミウム電池等の二次電池も使用でき、さらにまた、二次電池だけでなく、一次電池等の他の電池も利用することができる。
【００２１】
ケース２は、全体の平面形状を楕円形としている。また、断面形状も薄い楕円形状としている。このケース２はプラスチック製である。このケース２は、角型二次電池１Ａを内蔵するプラスチック製の第１ケース２Ａと第２ケース２Ｂとからなる。第２ケース２Ｂは、遮蔽プレート５を一体的に成形している。
【００２２】
第１ケース２Ａは、角型二次電池１Ａと、温度制御回路９２の電子部品を実装する回路基板７を内蔵する大きさに成形している。さらに、第１ケース２Ａは、第２ケース２Ｂを連結する止ネジ２０をねじ込む連結リブ２１を一体的に成形して設けている。連結リブ２１は、角型二次電池１Ａの四隅部に位置するように設けられる。
【００２３】
第２ケース２Ｂは、遮蔽プレート５の周囲に加温プレート４を固定する周壁２２を設けている。遮蔽プレート５は、角型二次電池１Ａを収納している第１ケース２Ａの開口部を閉塞する。遮蔽プレート５は、角型二次電池１Ａのフラット面１ａに沿うプレート状に成形している。遮蔽プレート５と角型二次電池１Ａのフラット面１ａには、熱伝導をコントロールする調整シート８を配置して、ヒーター３である平面状のＰＴＣヒーター３Ａと角型二次電池１Ａとの熱伝導をコントロールすることができる。調整シート８に熱伝導率の小さいシートを使用して、平面状のＰＴＣヒーター３Ａと角型二次電池１Ａの熱伝導を小さくできる。平面状のＰＴＣヒーター３Ａと角型二次電池１Ａとの熱伝導は、遮蔽プレート５の厚さや熱伝導率でコントロールすることもできる。
【００２４】
第２ケース２Ｂは、周壁２２の下端縁に加温プレート４を固定して、加温プレート４をケース２の表面に配置する。この加温プレート４は、第２ケース２Ｂに設けている周壁２２の開口部を閉塞する。周壁２２の開口部は、加温プレート４の外形に等しい。さらに周壁２２は、その下端縁に沿って加温プレート４の外周縁部を嵌着する段差部２３を設けている。第２ケース２Ｂは、周壁２２の上端縁を第１ケース２Ａの外周縁に連結する形状としている。第２ケース２Ｂに加温プレート４を固定する状態で、遮蔽プレート５と加温プレート４との間に平面状のＰＴＣヒーター３Ａを配置する。この構造によって、懐炉は、角型二次電池１Ａのフラット面１ａと遮蔽プレート５と平面状のＰＴＣヒーター３Ａと加温プレート４が積層される構造となる。また、角型二次電池１Ａは、第１ケース２Ａの底プレート２４と遮蔽プレート５との間に配設される。平面状のＰＴＣヒーター３Ａは、遮蔽プレート５と加温プレート４との間に配設されて、加温プレート４を直接に加熱して、角型二次電池１Ａを、遮蔽プレート５を介して加温する。
【００２５】
平面状のＰＴＣヒーター３Ａは、略円板形であって、角型二次電池１Ａのフラット面１ａに対向して、フラット面１ａと平行な姿勢で第２ケース２Ｂの遮蔽プレート５の下面に配設される。この平面状のＰＴＣヒーター３Ａに熱結合して加温プレート４が固定され、平面状のＰＴＣヒーター３Ａが加温プレート４を加温する。平面状のＰＴＣヒーター３Ａは、通電されて温度が設定温度まで上昇すると、電気抵抗が急激に大きくなって実質的には電流が遮断される。したがって、平面状のＰＴＣヒーター３Ａは、自己で温度を設定温度以下にコントロールする機能があり、温度を制御する温度制御回路を使用しないで、最高温度を設定温度よりも低くできる。ただ、平面状のＰＴＣヒーター３Ａは、通電する電流をコントロールして温度を制御することもできる。平面状のＰＴＣヒーター３Ａは、その両面に、銀メッキされた電極が形成されており、その表面に、金属板３７、３８が押圧した状態で接触することで、電力が供給される。金属板３７、３８は、詳細な説明は省略するが、遮蔽プレート５を貫通するように折曲片が延在して形成され、これらの折曲片が回路基板７に電気接続されている。
【００２６】
図の懐炉は、複数の平面状のＰＴＣヒーター３Ａを内蔵する。複数の平面状のＰＴＣヒーター３Ａは、同じ設定温度とし、あるいは設定温度が異なるものを内蔵する。設定温度が異なる平面状のＰＴＣヒーター３Ａを内蔵する懐炉は、通電する平面状のＰＴＣヒーター３Ａを切り換えて加温プレート４の温度をコントロールすることができる。たとえば、ふたつの平面状のＰＴＣヒーター３Ａを内蔵する懐炉は、ひとつの平面状のＰＴＣヒーター３Ａの設定温度を４５℃、別の平面状のＰＴＣヒーター３Ａの設定温度を４８℃とする。この懐炉は、設定温度を４５℃とする平面状のＰＴＣヒーター３Ａに通電して加温プレート４を４５℃まで加温する。また、４８℃の平面状のＰＴＣヒーター３Ａに通電して、平面状のＰＴＣヒーター３Ａを４８℃まで加温する。また、両方の平面状のＰＴＣヒーター３Ａに通電して、加温プレート４を速やかに温度上昇させて、４８℃まで加温する。
【００２７】
加温プレート４は、アルミニウムや銅等の熱伝導の優れた金属板で製作される。加温プレート４は、図５の一部拡大図に示すように、表面に無数の凹凸４ａを設けて、低温火傷を防止できる。凹凸４ａのある加温プレート４が、人体に面接触する状態で密着しないからである。また、図１０と図１１に示すように、加温プレート４の表面をエラストマー９で被覆して、低温火傷を防止することもできる。また、図１０と図１１に示すように、ケース２の周囲をエラストマー９で被覆する懐炉は、落下による衝撃等を吸収して、耐衝撃強度を向上することもできる。
【００２８】
さらに、懐炉は、図１２に示すように、角型二次電池１Ａの両面に、遮蔽プレート５、５５を介して平面状のＰＴＣヒーター３Ａ、３Ａと加温プレート４、５４を設けることもできる。図に示す懐炉は、ケース５２を構成する第１ケース５２Ａと第２ケース５２Ｂが、遮蔽プレート５５、５を一体的に成形しており、一対の遮蔽プレート５５、５の間に角型二次電池１Ａを配設している。すなわち、ケース５２は、第１ケース５２Ａの遮蔽プレート５５と第２ケース５２Ｂの遮蔽プレート５とで角型電池１Ａを両側から挟着して、角型二次電池１Ａの両面のフラット面１ａに遮蔽プレート５５、５を配設している。さらに、ケース５２は、第１ケース５２Ａと第２ケース５２Ｂの表面に、それぞれ加温プレート５４、４を固定している。図の懐炉は、第１ケース５２Ａに加温プレート５４を固定し、第２ケース２Ｂに加温プレート４を固定する状態で、遮蔽プレート５５、５と加温プレート５４、４との間に、平面状のＰＴＣヒーター３Ａ、３Ａをそれぞれ配置している。この構造によって、角型二次電池１Ａの両面のフラット面１ａに、遮蔽プレート５５、５と平面状のＰＴＣヒーター３Ａ、３Ａと加温プレート５４、４とを積層する構造として、表裏の両面に加温プレート５４、４を設けている。この懐炉は、表裏の両面から加温できる特長がある。
【００２９】
さらに、懐炉は、図１３と図１４に示すように、全体を変形できる構造とすることもできる。図１３に示す懐炉は、本体部６１の両側に、連結部６３を介して折曲できるように折曲部６２を設けている。本体部６１と折曲部６２は、互いに回動できる連結部６３を介して連結している。このような連結部６３として、蝶番や球関節、回転軸と軸受け等の種々の機構が使用できる。図に示す懐炉は、本体部６１に電池１を内蔵すると共に、本体部６１と折曲部６２に発熱体である平面状のＰＴＣヒーター３Ａを配設している。さらに、本体部６１と折曲部６２は、内蔵する平面状のＰＴＣヒーター３Ａと対向する下面に金属板からなる加温プレート６４を配置している。この構造の懐炉は、使用箇所に応じて折曲部６２を折曲して、体の温めたい部分に沿う形状に変形できるので、快適に使用できる特徴がある。図の懐炉は、全体を、本体部６１と両側の折曲部６２に３分割して、２カ所で折曲できる構造としている。ただ、懐炉は、図示しないが、全体を２分割して、１カ所で折曲できる構造とすることもできる。
【００３０】
さらに、図１４に示す懐炉は、全体を湾曲させて変形できる構造としている。この図に示す懐炉は、ケース７２に内蔵される電池１をリチウムポリマー電池とすると共に、ケース７２を湾曲または折曲させて変形できる軟質部材で成形している。このような軟質部材として、たとえば、軟質プラスチックやゴム等が使用できる。さらに、ケース７２の表面には、加温プレート７４として、湾曲できる程度の厚さの金属板または金属箔を固定している。この構造の懐炉は、体の温めたい部分に沿う形状に全体を湾曲させて、快適に使用できる特長がある。また、軟質部材で成形されるケース７２は、触感を良くできる特長もある。
【００３１】
懐炉の回路図を図９に示す。この回路図の懐炉は、電池１である角型二次電池１Ａからヒーター３である平面状のＰＴＣヒーター３Ａに供給する電力をコントロールする温度制御回路９２を備える。温度制御回路９２が、加温部９１である加温プレート４の温度を制御する温度パターンを図１５と図１６に示している。温度制御回路９２は、これらの図に示す温度パターンで加温部９１を加温するために、第１の設定温度と第２の設定温度とを記憶する記憶部１３と、この記憶部１３に記憶している第１の設定温度と第２の設定温度とに加温部９１の温度を制御する制御部６とを備えている。
【００３２】
温度制御回路９２は、第１の設定温度から第２の設定温度に加温部９１の温度を低下させる温度勾配を、第２の設定温度から第１の設定温度に温度を上昇させる温度勾配よりも緩慢になるように制御する。図１５と図１６の温度パターンは、第１の設定温度から第２の設定温度に温度を低下させる温度勾配を０．２℃／分としている。ただし、本発明の懐炉は、第１の設定温度から第２の設定温度に低下させる温度勾配を０．１℃ないし０．５℃とすることができる。この温度勾配が小さすぎると、ユーザーが暖かいと体感する割合が少なくなり、反対に温度勾配が大きすぎると、温度が急激に低下するのでユーザーが冷たいと体感する。したがって、第１の設定温度から第２の設定温度に温度を低下させる温度勾配は、ユーザーが冷たいと感じることなく、暖かいと感じる割合が多くなるように、前述の範囲で最適値に設定される。
【００３３】
記憶部１３は、第１の設定温度と第２の設定温度を含む温度パターンを記憶している。図１５と図１６の温度パターンは、１０分毎に、第１の設定温度と第２の設定温度とを繰り返すので、記憶部１３は、０〜１０分間において、時間に対する設定温度を１サイクルの温度パターンとして記憶している。温度制御回路９２は、加温部９１の温度が、記憶部１３に記憶している１サイクルの温度パターンを周期的に繰り返すように制御する。
【００３４】
記憶部１３は、図１５に示す高温モードと、図１６に示す高温モードよりも設定温度の低い低温モードの温度パターンを記憶している。温度制御回路９２は、加温部９１の設定温度を高温モードと低温モードに切り換える切換スイッチ１９Ｂを備えている。この温度制御回路９２は、切換スイッチ１９Ｂから入力される信号で、高温モードと低温モードを切り換え、高温モードと低温モードに設定温度を切り換えて加温部９１の温度を制御する。
【００３５】
図１５に示す温度パターンは、高温モードにおける第１の設定温度を４４℃、第２の設定温度を４２℃、第１の設定温度から第２の設定温度に温度を低下させる時間を１０分として、温度勾配を−０．２℃／分としている。図１６に示す温度パターンは、低温モードにおける第１の設定温度を４０℃、第２の設定温度を３８℃、第１の設定温度から第２の設定温度に温度を低下させる時間を１０分として、温度勾配を−０．２℃／分としている。図１５と図１６の温度パターンは、高温モードと低温モードにおいて、第１の設定温度と第２の設定温度との温度差を２℃としている。ただし、第１の設定温度と第２の設定温度との温度差は、１℃ないし４℃とすることもできる。また、第１の設定温度及び第２の設定温度の高温モードと低温モードとの温度差を４℃としているが、この温度差は２℃ないし６℃とすることもできる。
【００３６】
さらに図１５に示す高温モードは、電源スイッチ１９Ａをオンに切り換えてから所定の時間、すなわち使用開始時間、図にあっては３０分間は、第１の設定温度よりも高い使用開始時の設定温度の４８℃に設定している。
【００３７】
さらにまた、温度制御回路９２は、高温モードにける温度パターンを、図１７に示す温度パターンとして記憶部１３に記憶することもできる。図１７の温度パターンは、低温モードにおいてのみ、第１の設定温度と第２の設定温度に繰り返し設定温度を変化させる。高温モードは、電源スイッチ１９Ａをオンに切り換えた直後の初期の設定温度を、その後の定常の設定温度よりも高くしている。この図の高温モードは、初期の設定温度を４３℃、初期の設定温度に保持する時間を５分、定常の設定温度を４１℃、初期の設定温度から定常の設定温度に温度を低下させる時間を５分、この温度勾配を−０．４℃／分としている。この温度パターンを記憶する温度制御回路９２は、電源スイッチ１９Ａをオンに切り換えた直後の５分間は、加温部９１である加温プレート４の温度を４３℃に制御し、その後、５分をかけて設定温度を４１℃まで低下して、その後は４１℃の定常の設定温度に保持する。
【００３８】
さらに、図１７の温度パターンは、一時的に加温プレート４の温度を高温にする一時高温モードを設けている。この温度パターンを実現する懐炉は、温度制御回路９２にターボスイッチ１９Ｃを設けている。ターボスイッチ１９Ｃは、ユーザーが、一時高温モードに切り換えるために設けられるので、ケース２の外部から操作できる押しボタンスイッチ１９として設けられる。ユーザーがターボスイッチ１９Ｃを押すと、温度制御回路９２は、加温部９１である加温プレート４の温度を一時高温モードに切り換えて加温する。一時高温モードに切り換えられると、温度制御回路９２は、加温プレート４の温度を所定の時間にわたって、一時高温の設定温度に加温し、その後、所定の温度勾配で温度を低下させて、一時高温モードを解除する。
【００３９】
一時高温モードにおける一時高温の設定温度は４６℃、一時高温に保持する設定時間は５分、一時高温の設定温度から定常の設定温度に低下させる時間を５分、この温度勾配を−１℃／分としている。また、低温モードにあっては、一時高温の設定温度を第１の設定温度よりも高温の４３℃、一時高温に保持する設定時間を５分、一時高温の設定温度から第１の設定温度に温度を低下させる時間を５分、温度勾配を−０．６℃／分としている。
【００４０】
この懐炉は、ターボスイッチ１９Ｃから入力される信号で、一時高温モードに切り換えられて、加温部９１の温度を一時高温の設定温度まで加温し、この加温状態を設定時間保持し、その後、所定の温度勾配で、定常の設定温度や第１の設定温度に温度を低下させる。
【００４１】
ここで、懐炉の電源のオンオフを操作する電源スイッチ１９Ａと、高温モードと低温モードを切り換える切換スイッチ１９Ｂと、一時高温モードに切り換えるターボスイッチ１９Ｃは、ひとつの押しボタンスイッチ１９で兼用することができる。この押しボタンスイッチ１９は、押しボタンを押す毎に、電源オン（高温モード）→低温モード→電源オフを繰り返すように切り換えると共に、所定の時間（例えば２秒間）押しボタンを長押しすることでターボモードに切り換えるスイッチとして、制御部をひとつのスイッチで切り換えることができる。ただ、電源スイッチと切換スイッチとターボスイッチは、個別に設けることもできる。
【００４２】
温度制御回路９２は、加温部９１である加温プレート４の温度を、記憶部１３に記憶している温度パターンとなるように、制御部６で電池１からヒーター３への電力供給を制御する。この制御部６は、電池１と平面状のＰＴＣヒーター３Ａとの間に接続しているスイッチング素子１１と、このスイッチング素子１１をオンオフに制御するマイコンを含むコントロール回路１２とを備える。ヒーター３をＰＴＣヒーターとする懐炉は、ＰＴＣヒーターとスイッチング素子１１と電池１とを直列に接続するので、ＰＴＣヒーターを電池１の保護回路に併用できる。スイッチング素子１１が内部短絡あるいは溶着されてオン状態に保持されても、ＰＴＣヒーターは設定温度になる電気抵抗が急激に大きくなって、電流を実質的に遮断して電池１を保護するからである。
【００４３】
コントロール回路１２は、スイッチング素子１１をオンオフに切り換えて、加温部９１である加温プレート４の温度を、記憶部１３に記憶している温度パターンの設定温度に制御する。加温部９１の温度を検出するために、温度制御回路９２は温度センサ１０を備えている。図の温度センサ１０は、加温部９１である加温プレート４の温度を検出する。ただ、温度センサ１０は、ヒーター３の温度を検出することもできる。コントロール回路１２は、温度センサ１０で検出される検出温度を記憶部１３に記憶している温度パターンの設定温度に比較し、検出温度が設定温度よりも低いとスイッチング素子１１をオンに切り換えて加温し、検出温度が設定温度よりも高いとスイッチング素子１１をオフに切り換えて加温しない状態として、設定温度に制御する。
【００４４】
温度制御回路９２の制御部６は、第１の設定温度から第２の設定温度に温度を低下させる状態で、スイッチング素子１１をオンオフに切り換えるデューティーを制御して、温度が低下する温度勾配を調整することができる。スイッチング素子１１をオンオフに切り換えるデューティー、すなわちオフ時間に対するオン時間の割合を小さくすると、電池１からヒーター３に供給される消費電力が小さくなって、ヒーター３の発熱量が減少する。したがって、スイッチング素子１１のオン時間を短く、すなわちデューティーを小さくして、加温部９１である加温プレート４の温度を次第に低下することができる。加温プレート４の温度が低下する割合は、スイッチング素子１１のオン時間を短くして大きくできる。したがって、本発明の懐炉は、必ずしも記憶部１３に温度パターンを記憶させることなく、ヒーター３の発熱量を制御して、第１の設定温度から第２の設定温度に温度を低下させる温度勾配をコントロールできる。この懐炉は、第１の設定温度から第２の設定温度に温度を低下させるタイミングで、スイッチング素子１１をオンオフに切り換えるデューティーを記憶部１３に記憶させる。さらに、加温プレート４の温度が第１の設定温度から第２の設定温度に低下する温度勾配は、外気温度によっても変化し、外気温度が低いと、温度が低下する温度勾配が大きくなる。この弊害は、記憶部１３に外気温度に対するデューティーを記憶させることで解消できる。すなわち、温度に対してデューティーを変更することで、たとえば外気温度が低くなるにしたがって、スイッチング素子１１をオンオフに切り換えるデューティーを大きくすることで、第１の設定温度から第２の設定温度に低下させる温度勾配のばらつきを少なくできる。
【００４５】
図９の温度制御回路９２は、コントロール回路１２にＵＳＢ端子１４を接続している。このＵＳＢ端子１４は、図４の鎖線で示すように、ケース２に設けている。ＵＳＢ端子１４はコンピュータに接続される。この温度制御回路９２は、ＵＳＢ端子１４を介してコンピュータに接続され、コンピュータから入力される制御信号で、記憶部１３に記憶している設定温度を変更できるようにしている。この懐炉は、コンピュータに接続されて、ユーザーが自分に最適な設定温度に調整できる。
【００４６】
さらに、図９の懐炉は、複数のＬＥＤ１５を温度制御回路９２に接続している。ＬＥＤ１５は、図５と図８に示すように、ケース２に内蔵される回路基板７に固定されて、温度制御回路９２で点滅状態が制御される。図の懐炉は、ＬＥＤ１５の上方に配置される第１ケース２Ａを透光性を有するプラスチックで製作している。このケース２は、ＬＥＤ１５を表出させる開口窓を設けることなく、ＬＥＤ１５の発光を透過させて外部に表示できる。ただ、ケースは、開口窓を設けてＬＥＤをケースから表出させて外部に表示することもできる。温度制御回路９２は、ＬＥＤ１５を点灯する点灯パターンをコントロール回路１２の記憶部１３に記憶している。コントロール回路１２の記憶部１３に記憶されるＬＥＤ１５の点灯パターンは、ＵＳＢ端子１４を介して接続されるコンピュータで変更される。この懐炉は、コンピュータを接続して、ＬＥＤ１５の点灯状態をコントロールして、ユーザーが自分の好む点灯パターンに変更できる。
【００４７】
ＬＥＤ１５は、ケース２に一又は複数設けることができる。また、ＬＥＤ１５の点灯パターンを、電池１の残容量に応じて変化させることもできる。すなわち、ＬＥＤ１５を所定のタイミングで点灯させると共に、このときの点灯パターンを、電池１の残容量に応じて決まる特定の残容量表示点灯パターンに予め設定しておくことで、ユーザはＬＥＤ１５の点灯パターンから、懐炉の電池１の残容量を把握することができる。所定のタイミングは、例えば懐炉の電源スイッチ１９ＡをＯＮしたとき、又はＯＦＦしたとき、あるいは所定の秒数以上長押ししたとき等に設定できる。特に電源ＯＦＦ時に残容量表示点灯パターンを実行させることで、ユーザに対し、残容量が少ない場合は充電の必要性を喚起できるので、次回使用時に速やかに懐炉を使用できるよう、充電を促す効果が得られ、好ましい。また、電源スイッチ１９Ａを残容量表示点灯パターンの実行スイッチと兼用させることができ、部品点数の増加も回避できる。
【００４８】
また、残容量表示点灯パターンは、ＬＥＤ１５の点滅回数や時間、あるいはＬＥＤ１５の点灯色、又はこれらの組み合わせから構成できる。残容量表示点灯パターンの一例としては、電源スイッチ１９ＡをＯＮからＯＦＦに切り替えた後、緑色のＬＥＤ１５を３秒間点灯あるいは点滅して表示させる。例えば、電池１の残容量が７０％以上の場合は充電不要として緑色に３秒間点灯させ、４０％〜７０％の場合は使用可として緑色にゆっくり点滅させ（例えば１秒間隔で３秒間点滅）、４０％以下の場合は充電が必要として緑色に速く点滅させる（例えば０．５秒間隔で３秒間点滅）。また、ＬＥＤ１５の発光色を一色のみとせず、複数の発光色とすることもできる。例えば、電池１の残容量が７０％以上の場合は緑色に５秒間点灯、４０％〜７０％の場合は黄色に５秒間点滅、４０％以下の場合は赤色に８秒間点滅、等とできる。特に、残容量が少ない場合は注意を促す効果の高い赤色や短い時間間隔での点滅等を組み合わせることが好ましい。このようなＬＥＤ１５の残容量表示点灯パターンの制御は、電池１の残容量を検出するコントロール回路１２で行う。残容量は、電池１の電圧を測定して得ることができる。なお、残容量表示点灯パターンの設定は予め設定しておく他、上述の通りユーザがＵＳＢ端子１４を介して接続されるコンピュータから変更するよう構成してもよい。また、残容量表示点灯パターンは、記憶部１３に記録される。なお、ＬＥＤの点灯色を変化させる場合は、異なる発光色に変更可能な一以上のＬＥＤ、あるいは点灯色の異なる複数のＬＥＤを使用することは言うまでもない。
【００４９】
図９の温度制御回路９２は、懐炉が使用されない状態を検出するために、図５に示すように、平面状のＰＴＣヒーター３Ａの反対側に外気温度センサ１６を配置している。この懐炉は、外気温度センサ１６で検出される外気温度である検出温度で懐炉が使用されない状態、すなわち非使用状態を判定して電源スイッチ１９Ａをオフにする。ここで、外気温度線センサ１６近傍の第１ケース２Ａに開口を設け、外気をケース内に導入できるようにしても良い。
【００５０】
温度制御回路９２は、平面状のＰＴＣヒーター３Ａの温度と外気温度センサ１６の信号で、非使用状態を判別して、電源スイッチ１９Ａをオフに切り換える。図１８は、電源スイッチ１９Ａをオフに切り換える領域をハッチングで示している。平面状のＰＴＣヒーター３Ａの温度と外気温度とが、この図のハッチングの領域にあるとき、温度制御回路９２は電源スイッチ１９Ａをオフに切り換える。このハッチングの領域は、平面状のＰＴＣヒーター３Ａの温度が外気温度よりも高い状態、いいかえると外気温度センサ１６の検出温度が低い状態、すなわち懐炉が衣類の内部にない状態であるから、非使用状態と判定する。この懐炉は、使用しないときに自動的に電源スイッチ１９Ａがオフに切り換えられるので、電池１の無駄な消費を解消できる。
【００５１】
さらに、図１９の懐炉は、ケース２内に、電池１で駆動されるバイブレータ１７を内蔵している。この懐炉は、加温プレート４を加熱しながら、人体をマッサージできる特徴がある。また、加温プレート４で加熱しない状態にあっても、人体をマッサージすることもできる。さらにまた、懐炉の作動中において、コントロール回路１２により、バイブレータ１７を周期的（１０分から１時間の間に１回、１０秒程度）に振動させることで、懐炉が作動中であることを確認できる。
【００５２】
図５の懐炉は、電池１のフラット面１ａに沿って遮蔽プレート５を配設し、さらに、この遮蔽プレート５の下面に平面状のＰＴＣヒーター３Ａを平行に配設している。すなわち、電池１のフラット面１ａと遮蔽プレート５と平面状のＰＴＣヒーター３Ａが平行な姿勢て積層される。この構造の懐炉は、平面状のＰＴＣヒーター３Ａの熱を、遮蔽プレート５を介して電池１に伝導できる。平面状のＰＴＣヒーター３Ａの熱は、直接には電池１に伝導されないので、電池１が平面状のＰＴＣヒーター３Ａで加熱されることはない。ただ、平面状のＰＴＣヒーター３Ａの発熱の一部は、遮蔽プレート５を介して間接的に電池１に伝導される。この懐炉は、極めて低温環境において、平面状のＰＴＣヒーター３Ａに通電して電池１を余熱することができる。この懐炉は、図９に示すように、コントロール回路１２に、電池１の温度を検出する温度センサ１８を接続している。コントロール回路１２は、電池温度が設定温度よりも低いことを温度センサ１８で検出すると、スイッチング素子１１をオンに切り換えて、平面状のＰＴＣヒーター３Ａで電池１を余熱する。このとき、コントロール回路１２はスイッチング素子１１をオンオフに切り換えるデューティーをコントロールして、平面状のＰＴＣヒーター３Ａの温度をコントロールし、平面状のＰＴＣヒーター３Ａの温度で電池１を加温する温度を特定する。電池１は加温プレート４のように高い温度に加温する必要はない。したがって、電池１を余熱するスイッチング素子１１は、オン時間が短くなるように、デューティーをコントロールして電池１の消耗を少なくする。
【００５３】
さらに、図９の懐炉は、ケース２に電池１の充電回路２５を内蔵している。充電回路２５は、ケース２に内蔵される回路基板７に実装される。充電回路２５は、角型二次電池１Ａであるリチウムイオン二次電池やリチウムポリマー電池を充電する充電制御部２６を備える。この充電制御部２６は、角型二次電池１Ａを定電流・定電圧充電して満充電を検出して、充電を停止する。さらに、図の充電回路２５は、角型二次電池１Ａと直列に保護用ＦＥＴ２７を接続しており、この保護用ＦＥＴ２７を保護回路２８で制御する。保護回路２８は、電池１の過充電や過放電を検出して、保護用ＦＥＴ２７をオンオフに制御する。充電している電池１が満充電されて過充電される状態になると、保護回路２８は保護用ＦＥＴ２７をオフに切り換えて充電を停止する。また、放電している電池１が過放電される状態になると、保護回路２８は、保護用ＦＥＴ２７をオフに切り換えて電池１の放電を停止する。
【００５４】
図９の回路図の懐炉は、ＡＣアダプタ２９に接続されて、ＡＣアダプタ２９から電池１を充電する直流が入力される。懐炉は、ＡＣアダプタ２９を接続するＤＣジャック３０を設け、このＤＣジャック３０を充電回路２５に接続している。この懐炉は、商用電源を電池１の充電電圧に変換する回路を内蔵しないので、充電回路２５を小さくできる。ただし、懐炉は、直接に商用電源に接続して、電池を充電することもできる。この懐炉は、図２０に示すように、ケース２に折り畳みできるようにＡＣプラグ３１を設ける。ＡＣプラグ３１は、商用電源を電池１の充電電圧に変換する回路を内蔵する充電回路に接続されて、電池１を充電する。この懐炉は、ＡＣプラグ３１を電源コンセントに接続して、内蔵する電池１を充電できる。
【００５５】
さらに、懐炉は、図２１に示すように、充電回路３５に無接点充電回路３２を内蔵して、この無接点充電回路３２で、内蔵する電池１を充電することもできる。無接点充電回路３２を内蔵する充電回路３５は、図２１に示すように、誘導コイル３３と、この誘導コイル３３に誘導される交流を整流して直流に変換する整流回路３４とを内蔵している。整流回路３４の出力は充電制御部３６に入力されて、電池１を充電する。無接点充電回路３２を内蔵する懐炉は、図２２に示すように、出力コイル４１を内蔵する充電台４０の上に置かれて電池１を充電する。充電台４０は、無接点充電回路３２に高周波の電力を電磁誘導作用で伝送する出力コイル４１と、この出力コイル４１に高周波電力を供給する電源回路４２とを内蔵している。このように、無接点充電回路３２で電池１を充電する懐炉は、コネクタの接触不良などを皆無にして便利に充電できる。
【００５６】
さらに、充電回路２５に直流電力を供給して電池１を充電する懐炉は、図９の鎖線で示すように、充電回路２５をＵＳＢ端子１４に接続し、このＵＳＢ端子１４をコンピュータなどに接続して電池１を充電することもできる。
【００５７】
また、本実施例の懐炉には、図示しないが、以下の機能を追加することも可能である。たとえば、懐炉は、ケースの外形形状を、板状のハート型とすることもできる。ハート型であり、懐炉として暖かい温度も備えることにより、使用者を心情的に暖かく感じさせることができる。また、このハート型の懐炉に、上述のバイブレーション機能を持たせて、ボタン操作により、必要時にバイブレーションを実行できるようにすることで、ハート型が振動して、他の人に懐炉をプレゼントするとき、あたかも渡す人のハートがドキドキしているような印象を、受け取った人に与えることができる。さらに、ケースの外形形状、模様等の外観を、板状の鯛焼き型とすることもできる。鯛焼きとは、日本において周知の食べ物であって、概略魚の外形形状、模様等の外観を有し、練った小麦粉を焼いたものの中に、あん（＝sweet bean jam）を入れたものである。このような鯛焼き型の懐炉に、上述のバイブレーション機能を持たせることで、鯛が躍動的に動いているような印象を与えて、使用者に楽しい印象を与えることができる。また、同じように、ケースの外形形状、模様等の外観を、板状の動物、マンガ等のキャラクターとすることで、使用者に楽しい印象を与えることができる。また、ケース内に、芳香剤を入れ、ケースに開口を設けることで、懐炉の温度により、芳香剤を適切に発散することができる。さらには、懐炉内に、ＭＰ４等を利用したデジタル音楽再生機能を付加することもできる。
【００５８】
さらに、図２３と図２４の懐炉は、ケース８２にひとつのヒーター３を内蔵している。なお、図２３、図２４、図２５において、上述の実施例に開示した構造、構成と同等の構造、構成については、説明を省略する。このケース８２は、角型二次電池１Ａを内蔵するプラスチック製の第１ケース８２Ａと第２ケース８２Ｂとからなる。第２ケース２Ｂは、遮蔽プレート８５を一体的に成形しており、下面に加温プレート８４を固定している。第２ケース８２Ｂに加温プレート８４を固定する状態で、遮蔽プレート８５と加温プレート８４との間にヒーター３を配置している。ヒーター３は、加温プレート８４の中央部に配設して、加温プレート８４の全面を均一に加熱する。加温プレート８４は、表面側を中央凸に湾曲する形状としている。加温プレート８４は、表面に遠赤外線を放射する塗料を塗布して、遠赤外線を効率よく放射できる。加温プレート８４の内面であって、ヒーター３に熱結合される部分に平面部８４Ａを設けている。加温プレート８４は、平面部８４Ａの内側にヒーター３を内蔵して、ヒーター３の熱を有効に加温プレート８４に熱伝導する。とくに、加温プレート８４とヒーター３との間に、シリコン等の熱結合ペースト８９を塗布して、ヒーター３と加温プレート８４との熱伝導効率を高くできる。
【００５９】
さらに、図の懐炉は、ヒーター３と加温プレート８４との間に、ヒーター３に通電する金属板８８を配設している。この構造は、ヒーター３を平面状のＰＴＣヒーター３Ａとする構造に適している。金属板８８は、平面状のＰＴＣヒーター３Ａの表面に設けている電極に接触して、平面状のＰＴＣヒーター３Ａに通電する。金属板８８は、平面状のＰＴＣヒーター３Ａとの電気接続を確実にするために、局部的に突出する突出部８８ａを設けている。突出部８８ａが平面状のＰＴＣヒーター３Ａの表面の電極に接触して、電気接続される。さらに、金属板８８は、全体の形状を平面状として、加温プレート８４の平面部８４Ａに面接触状態で熱結合される。さらに、加温プレート８４の平面部８４Ａと金属板８８とは、シリコンペーストなどの熱結合ペースト８９を塗布して、熱伝導効率を高くしている。
【００６０】
この構造は、平面状のＰＴＣヒーター３Ａの熱が直接に加温プレート８４に伝導されず、金属板８８を介して伝導されるので、平面状のＰＴＣヒーター３Ａの温度変化に対する加温プレート８４の温度変化を少なくできる。平面状のＰＴＣヒーター３Ａは、図２５に示すように、電源である電池１との間に接続しているスイッチング素子１１をオンオフに制御して設定温度にコントロールされる。スイッチング素子１１がオンの状態で、平面状のＰＴＣヒーター３Ａは加熱され、スイッチング素子１１がオフの状態で平面状のＰＴＣヒーター３Ａは加熱されない。したがって、平面状のＰＴＣヒーター３Ａは、スイッチング素子１１のオンとオフの状態で温度が変化する。この温度変化は、金属板８８を介して平面状のＰＴＣヒーター３Ａの熱を加温プレート８４に伝導する構造で解消できる。また、コントロール回路１２がスイッチング素子１１をオンオフに制御するデューティーを制御して、平面状のＰＴＣヒーター３Ａの温度をコントロールする温度制御回路９２は、平面状のＰＴＣヒーター３Ａの温度を温度センサ１０で検出して、スイッチング素子１１のデューティーを制御する。このように、温度センサ１０でスイッチング素子１１のデューティーをコントロールする懐炉は、平面状のＰＴＣヒーター３Ａの温度検出に時間遅れが発生し、平面状のＰＴＣヒーター３Ａの温度が設定温度よりも高くなり、あるいは低くなることがある。この弊害も、平面状のＰＴＣヒーター３Ａの熱を金属板８８を介して加温プレート８４に伝導する構造で解消できる。
【００６１】
さらに、スイッチング素子１１をオンオフに制御するデューティーを制御して、平面状のＰＴＣヒーター３Ａの温度を制御する温度制御回路９２は、懐炉の電源スイッチ１９Ａがオンに切り換えられた最初に、連続して平面状のＰＴＣヒーター３Ａに通電して極めて短時間に設定温度まで加温できる。平面状のＰＴＣヒーター３Ａが設定温度になると、スイッチング素子１１をオンオフに切り換えるデューティーをコントロールして、平面状のＰＴＣヒーター３Ａの温度を制御する。
【００６２】
さらに、図２５の懐炉は、防犯ブザー８０を内蔵している。防犯ブザー８０は、ヒーター３に通電する電池１から電力を供給している。懐炉に内蔵される防犯ブザー８０は、ブザー８０Ａと、このブザー８０Ａの警報音の発生状態をコントロールする防犯回路８０Ｂとを備えている。防犯回路８０Ｂは、警報スイッチ８１を接続している。警報スイッチ８１は、すでに市販されている防犯ブザーに使用されるように、紐を引っ張ってピンが引き抜かれるとオンに切り換えられ、あるいは紐を引いてオンオフに切り換えられるスイッチである。ただ、この警報スイッチは、ケースの外部にスイッチを設け、このスイッチをオンオフに切り換える構造とすることもできる。
【００６３】
防犯回路８０Ｂは、警報スイッチ８１がオンに切り換えられると、電池１から供給される電力でブザー８０Ａに通電してブザー８０Ａから警報音を発生させる。防犯回路８０Ｂは、懐炉のヒーター３に優先して電力が供給される。したがって、コントロール回路１２は、電池１の残容量や電圧を検出しており、電池１の残容量や電圧が設定値よりも小さくなると、スイッチング素子１１をオフに切り換えて、ヒーター３への通電を停止して、防犯ブザー８０のみに電力を供給できる状態とする。この懐炉は、電池１で加温プレート８４を加温できなくなった状態においても、防犯ブザー８０として使用できる。とくに、防犯ブザー８０の消費電力は、ヒーター３の消費電力に比較して少なく、とくに、ブザー８０Ａが警報音を発生しない状態での消費電力は極めて小さく、ヒーター３に通電しない状態となった後も、相当に長い時間、防犯ブザー８０として使用できる。
【００６４】
防犯ブザー８０を内蔵する懐炉は、以下の優れた特徴がある。
（１）緊急時に、防犯ブザーをすばやく操作できる。
一般的な防犯ブザーは、ランドセルや鞄から吊り下げるタイプのものが多く、緊急時において、警報スイッチをオンにするときに紐を引っ張るのが難しい問題点があった。これに対して、本発明のように、防犯ブザーを内蔵する懐炉は、懐炉の機能を生かすために、常に手で握った状態で使用し、あるいは、ポケットに入れて持ち運びするので、緊急時にすばやく操作できる。とくに、手で握った状態や、ポケットに入れた状態では、犯罪者に防犯ブザーの所持を気づかれない特長もある。このため、防犯ブザーを犯罪者に捕り上げられて、緊急時に使用できなくなる心配がない。
（２）寒い夜道でも確実に防犯ブザーを操作できる。
昨今では、防犯ブザーを携帯して夜の学習塾に通う児童や生徒が増えている。また、痴漢やストーカー犯罪の増加により、夜道で防犯ブザーを携行する女性が増えている。犯罪者に遭遇すると恐怖のあまり声が出なくなるためである。ところが、寒い夜道等では、寒さで指先がかじかんで、緊急時に防犯ブザーを操作できないおそれがある。本発明のように、防犯ブザーを内蔵する懐炉では、懐炉の機能で指先を暖めることができるので、冬の寒い夜道においても、防犯ブザーが鳴らせないような事態を避けることができる。また、指先や体が温まることにより、暗くて寒い夜道での恐怖心を和らげる効果もある。
（３）電池の残容量を確認できる。
一般的な防犯ブザーは、電池の残容量を調べにくい欠点がある。それは、警報スイッチをオンに切り換えてブザーを鳴らす必要があるからである。この状態は、周囲に大音量の警報音が鳴り響くので、周囲への迷惑や注目を考えると、常に残容量を確認することは、まずできない。しかしながら、防犯ブザーの電池が切れていると、緊急時において一大事になる。これに対して、本発明の懐炉では、懐炉の温もりにより、電池の残容量の有無がわかるので、安心して使用できる。
【符号の説明】
【００６５】
１…電池                    １Ａ…角型二次電池
１ａ…フラット面
２…ケース                  ２Ａ…第１ケース
２Ｂ…第２ケース
３…ヒーター                ３Ａ…平面状のＰＴＣヒーター
４…加温プレート            ４ａ…凹凸
５…遮蔽プレート
６…制御部
７…回路基板
８…調整シート
９…エラストマー
１０…温度センサ
１１…スイッチング素子
１２…コントロール回路
１３…記憶部
１４…ＵＳＢ端子
１５…ＬＥＤ
１６…外気温度センサ
１７…バイブレータ
１８…温度センサ
１９…押しボタンスイッチ    １９Ａ…電源スイッチ
１９Ｂ…切換スイッチ
１９Ｃ…ターボスイッチ
２０…止ネジ
２１…連結リブ
２２…周壁
２３…段差部
２４…底プレート
２５…充電回路
２６…充電制御部
２７…保護用ＦＥＴ
２８…保護回路
２９…ＡＣアダプタ
３０…ＤＣジャック
３１…ＡＣプラグ
３２…無接点充電回路
３３…誘導コイル
３４…整流回路
３５…充電回路
３６…充電制御部
３７…金属板
３８…金属板
４０…充電台
４１…出力コイル
４２…電源回路
５２…ケース                ５２Ａ…第１ケース
５２Ｂ…第２ケース
５４…加温プレート
５５…遮蔽プレート
６１…本体部
６２…折曲部
６３…連結部
６４…加温プレート
７２…ケース
７４…加温プレート
８０…防犯ブザー            ８０Ａ…ブザー
８０Ｂ…防犯回路
８１…警報スイッチ
８２…ケース                ８２Ａ…第１ケース
８２Ｂ…第２ケース
８４…加温プレート          ８４Ａ…平面部
８５…遮蔽プレート
８８…金属板                ８８ａ…突出部
８９…熱結合ペースト
９１…加温部
９２…温度制御回路
【図１】
2011045658.tif 000003
【図２】
2011045658.tif 000004
【図３】
2011045658.tif 000005
【図４】
2011045658.tif 000006
【図５】
2011045658.tif 000007
【図６】
2011045658.tif 000008
【図７】
2011045658.tif 000009
【図８】
2011045658.tif 000010
【図９】
2011045658.tif 000011
【図１０】
2011045658.tif 000012
【図１１】
2011045658.tif 000013
【図１２】
2011045658.tif 000014
【図１３】
2011045658.tif 000015
【図１４】
2011045658.tif 000016
【図１５】
2011045658.tif 000017
【図１６】
2011045658.tif 000018
【図１７】
2011045658.tif 000019
【図１８】
2011045658.tif 000020
【図１９】
2011045658.tif 000021
【図２０】
2011045658.tif 000022
【図２１】
2011045658.tif 000023
【図２２】
2011045658.tif 000024
【図２３】
2011045658.tif 000025
【図２４】
2011045658.tif 000026
【図２５】
2011045658.tif 000027